(57)【特許請求の範囲】
【請求項１】
毛髪繊維の第１の端部を前記毛髪繊維の反対の第２の端部が自由に垂れるようにホルダと解放可能に係合させ、前記毛髪繊維の前記第１の端部が前記ホルダから引き離されるように、前記毛髪繊維の前記第２の端部に十分な力を加えることによって、毛髪の状態を評価する方法。
【請求項２】
前記毛髪を前記ホルダに取り付ける直前に湿らせる、請求項１に記載の方法。
【請求項３】
前記毛髪をコンディショニング組成物で処理し、次いで前記ホルダに取り付ける直前に湿らせる、請求項１または２に記載の方法。
【請求項４】
前記組成物が、洗い流しコンディショニング組成物である、請求項３に記載の方法。
【請求項５】
請求項３に記載の方法を行い、次いで前記第１の端部を前記ホルダから引き離すのに必要とされる前記力を測定することによって、コンディショニング組成物のコンディショニング効果を測定または実証する方法。
【請求項６】
前記処理した複数の毛髪標本に対して請求項３に記載の方法を行うことによって、少なくとも２つのコンディショニング組成物のコンディショニング効果を比較または実証する方法。
【請求項７】
前記処理した複数の毛髪標本に対して請求項３に記載の方法を同時に実施する、請求項６に記載の方法。
【発明の詳細な説明】
【技術分野】
【０００１】
本発明は、毛髪繊維の状態を評価する方法、前記繊維に対するコンディショニング組成物の効果を評価する方法、並びにコンディショニング組成物の効果を評価および比較する方法に関する。
【背景技術】
【０００２】
国際公開第２０１２／１７３９６３号は、機械化された方策を用いて試験標本を製作すること、および標本基材を選択する方策を開示している。
【０００３】
特開昭５６−９４２６０号公報（シャープ株式会社）は、破断点を測定する、毛髪の状態を評価する方法を開示している。
【０００４】
特開昭５６−２７６５２号公報（シャープ株式会社）は、毛髪を毛細管に固定する、同様の方法を開示している。
【先行技術文献】
【特許文献】
【０００５】
【特許文献１】国際公開第２０１２／１７３９６３号
【特許文献２】特開昭５６−９４２６０号公報
【特許文献３】特開昭５６−２７６５２号公報
【発明の概要】
【発明が解決しようとする課題】
【０００６】
先行技術にもかかわらず、毛髪繊維の状態を実証する方法の改良が依然として必要とされている。
【課題を解決するための手段】
【０００７】
したがって、第１の態様では、毛髪繊維の第１の端部を前記毛髪繊維の反対の第２の端部が自由に垂れるようにホルダと解放可能に係合させ、毛髪繊維の第１の端部がホルダから引き離される（ｐｕｌｌｅｄ  ｆｒｏｍ）ように毛髪繊維の第２の端部に十分な力を加えることによって、毛髪の状態を評価する方法が提供される。
【０００８】
好ましくは、該ホルダは、毛または歯を備えており、第２の端部に力を加えると毛髪繊維が毛または歯を通って引っぱられる（ｐｕｌｌｅｄ  ｔｈｒｏｕｇｈ）。
【０００９】
好ましくは、該力は、ホルダから離れる方向に加えられる。
【００１０】
好ましくは、該方法は、ヘアピース（ｈａｉｒ  ｓｗｉｔｃｈ）に適用する力を記録することを含む。さらに好ましくは、該方法は、あるヘアピースに加える力を、同じ結果または相当する結果を達成することが必要とされる、別のヘアピースに加える力と比較することをさらに含む。
【００１１】
好ましくは、該力は、毛髪繊維から毛髪を完全に引き離すのに十分である。好ましくは、該力は、力を最初に加えてから１分の最短期間内に全ての繊維をホルダから引き離すのに必要とされる最小の力である。
【００１２】
好ましくは、毛髪繊維の第２の端部に質量を取り付けることにより該力を加えること。
【００１３】
該方法は、毛髪の状態、より好ましくは毛髪繊維のもつれ状態を評価する容易に実証できる手法を提供する。
【００１４】
好ましくは、該力は逐次的に加えられ、つまり、最初に加える力は毛髪繊維をホルダから引き離すのには不十分であるが、毛髪繊維が所定の速度でホルダから引き離されるようになるまで、さらなる力またはより大きな力を加えることが好ましい。好ましくは、該速度は容易に視認できるものである。
【００１５】
好ましくは、毛髪繊維の第２の端部にクリップを取り付け、該クリップに重りを逐次的に加える。
【００１６】
好ましくは、該ホルダは、ブラシまたはクシである。より好ましくは、該ホルダは、力を加える方向から離れる方向に延びる毛または歯を備える。好ましくは、該毛または歯は、重力の方向とは反対の方向に延びる。
【００１７】
好ましくは、該毛髪繊維は、ヘアピースの形態であり、好ましくは１〜５ｇのピース、より好ましくは１．５〜３ｇのピースである。
【００１８】
好ましくは、該ピースは、１０〜５０ｃｍの長さであり、より好ましくは１５〜３０ｃｍの長さであり、最も好ましくは２０〜２８ｃｍの長さである。
【００１９】
毛髪が著しくもつれている場合、毛髪繊維をホルダから引き離すのに必要とされる力は、著しくもつれてはいない毛髪の場合よりも大きい。さらに、もつれの程度が異なる２つ以上のヘアピースを比較する場合、一方のヘアピースは、他方のヘアピースよりも容易に毛髪を通って引っぱり、または少ない質量で引っぱるであろう。よって、このことは、あるコンディショニング処理の効果が別のコンディショニング処理の効果を上回ることの意図的な実証をもたらすであろう。
【００２０】
毛髪をホルダに取り付ける直前に湿らせることが好ましい。直前とは、毛髪が著しく乾かないような長さの時間を意味する。このことは、好ましくは０〜２０分、より好ましくは０〜１０分、特に好ましくは０〜１分、最も好ましくは０〜３０秒を意味する。
【００２１】
湿らせるとは、毛髪に水を加えることを意味する。好ましくは、毛髪をホルダに取り付ける直前にゆすぐ。
【００２２】
より好ましくは、毛髪をホルダに取り付ける直前に２〜２０秒間、特に好ましくは４〜１２秒間ゆすぐ。
【００２３】
好ましくは、毛髪を湿らせる前にコンディショニング組成物で処理し、好ましくはゆすいで、ホルダに取り付ける。これによって、オペレータは、毛髪繊維をホルダから引き離すのに必要とされる質量を記録することにより、コンディショニング組成物の効果を評価することができる。
【００２４】
好ましくは、毛髪をコンディショニング組成物で処理し、次いでホルダに取り付ける直前にゆすぐ。
【００２５】
好ましくは、加えるコンディショニング組成物は、洗い流しコンディショニング組成物である。
【００２６】
第２の態様では、コンディショニング組成物を毛髪に加え、毛髪を湿らせ、毛髪をホルダと解放可能に係合させ、次いで毛髪をホルダから引き離すのに必要とされる力を測定することによって、コンディショニング組成物のコンディショニング効果を測定する方法が提供される。
【００２７】
好ましくは、毛髪をホルダから引き離すのに要する時間は、記録を容易にするほどに十分短いが、毛髪がホルダから直ぐ引き離されるほどには短くない。
【００２８】
第３の態様では、処理した複数の毛髪標本に対して第２の態様の方法を行うことによって、少なくとも２つのコンディショニング組成物のコンディショニング効果を比較する方法が提供される。
【００２９】
好ましくは、少なくとも２つのコンディショニング組成物のコンディショニング効果を比較する方法を、処理した複数の毛髪標本に対して同時に実施する。
【００３０】
これによって、オペレータは、ホルダを通って毛髪を引っぱるのに必要とされる質量または要する時間を測定する必要なしに、ある組成物が別の組成物よりも優れていると直ぐに判断することができる。
【００３１】
好ましくは、毛髪繊維に取り付ける最初の質量は、毛髪繊維をホルダから引き離すのには不十分な重さであり、毛髪繊維の２つの組を区別することを許容するように質量を順次に加える。すなわち、毛髪繊維の組のうちの一方がホルダから引き離され、他方がホルダに依然として取り付けられているまで、毛髪繊維の各組に同じ質量を同時に取り付ける。このことは、毛髪繊維の前者の組を処理する組成物のコンディショニング効果が、後者の組に加えられた組成物のコンディショニング効果よりも優れていることを実証するはずである。
【図面の簡単な説明】
【００３２】
【図１】半径方向に延びる毛（２）を有する円筒ブラシ（１）を示している。ブラシ（１）の上にゆるく垂れるように２つのヘアピース（３Ａおよび３Ｂ）を取り付ける。各ピースの遊端部には、クリップ（４）があり、これに重り（５）がぶら下げられている。
【図２】図１に記載された一対のピースを示している。ピースＡは、ピースＢよりも容易に、円筒ブラシから引き離される。
【発明を実施するための形態】
【００３３】
［実施例１］
ヘアピースをコンディショニング組成物で処理し、次いで１０秒間ゆすぐ。
【００３４】
ピースの一端を円筒ブラシに取り付け、他端を自由に垂らしたままにする。毛髪繊維の自由に垂らした端部に目玉クリップを取り付け、クリップに重りを取り付ける。ヘアピースがブラシから引き離されるまで、さらなる重りをクリップに加える。すると、ピースはブラシから引き離され、自由に落下する。ピースをブラシから引き離すのに必要とされる最小の重りを記録できるように重りを加える。
【００３５】
［実施例２］
２つのピースを異なるコンディショニング組成物で処理し、ブラシの代わりにクシを用いて、実施例１の実験を繰り返す。
【００３６】
２つのピースをコンディショニングし、次いで１０秒間ゆすぐ。
【００３７】
一方のピースがクシから引き離されるのに十分な重りが加えられるまで、各繊維のクリップに等しい重さの重りを同時に取り付ける。
【００３８】
クシから容易に引き離された方のピースを、もつれが最小であり、それゆえ最良にコンディショニングされているとみなす。
【図１】
0006317766.tif 000002
【図２】
0006317766.tif 000003